(57)【要約】 【課題】  メーカー調整のカップ飲料についてシール蓋に飲み口や空気入口を容易にかつ静かにかつ円滑に形成することができ、飲用時のマウスピースとしてカップに装着して使用することができるカップ型容器用オーバーキャップを提供すること【解決手段】  上端開口部をシール蓋で閉じたシール容器に装着して前記シール蓋を切開するシール容器用のオーバーキャップ１ａであって、  前記オーバーキャップは前記シール容器に装着するオーバーキャップ本体６と前記オーバーキャップ本体にヒンジ１０を介して一体に形成され前記オーバーキャップ本体に対して変位可能な少なくとも一個の切開部材７、８とを有し、  前記切開部材７、８は刃部材２４と前記刃部材に固定している指掛かり部材２５とを有し、かつ切開部材を囲んで保護リブ５１、５２が設けられている。【選択図】  図４
2008207874.tif 000002
【特許請求の範囲】
【請求項１】
上端開口部をシール蓋で閉じたシール容器に装着して前記シール蓋を切開するシール容器用のオーバーキャップであって、
前記オーバーキャップは、
前記シール容器に装着可能で、天板の一部に穿孔が形成されているオーバーキャップ本体と、前記オーバーキャップ本体にヒンジを介して前記穿孔内に一体に形成され前記オーバーキャップ本体に対して変位可能な少なくとも一個の切開部材とを有し、
前記切開部材は前記シール蓋を切開可能な刃部材と、前記刃部材と一定の角度をもって突出している指掛かり部材とからなり、
前記指掛かり部材を操作して前記切開部材を変位させて前記シール蓋を切開した場合に、オーバーキャップ本体の天板と切開部材との間に形成される間隙が液体又は空気の流通孔となることを特徴とするオーバーキャップ。
【請求項２】
前記切開部材の前記刃部材は、前記オーバーキャップの天板とほぼ面一に形成され、前記切開部材の指掛かり部材は、前記刃部材よりも上方に突出していることを特徴とする請求項１記載のオーバーキャップ
【請求項３】
前記切開部材の前記刃部材は、前記オーバーキャップの天板よりも上方に形成され、前記切開部材の指掛かり部材は前記刃部材よりもさらに上方に突出していることを特徴とする請求項１記載のオーバーキャップ
【請求項４】
前記刃部材は前記シール蓋を切ることが可能な切り刃部材または前記シール蓋を突き刺すことが可能な刺し刃部材であり、または前記シール蓋を押し切りすることが可能な押し刃部材であることを特徴とする請求項１記載のオーバーキャップ。
【請求項５】
前記ヒンジはピンヒンジまたはストラップヒンジであることを特徴とする請求項１記載のオーバーキャップ。
【請求項６】
前記切り刃部材を有する切開部材は前記ピンヒンジで前記オーバーキャップ本体に連結し、前記刺し刃部材を有する切開部材は前記ストラップヒンジで前記オーバーキャップ本体に連結し、前記押し刃部材を有する切開部材は前記ストラップヒンジで前記オーバーキャップ本体に連結していることを特徴とする請求項１記載のオーバーキャップ
【請求項７】
前記オーバーキャップは、切り刃部材を有する１個若しくは２個の切開部材を有し、又は刺し刃部材を有する１個若しくは２個の切開部材を有し、または押し刃部材を有する１個若しくは２個の切開部材を有し、または切り刃部材を持つ１個の切開部材と刺し刃部材を有する１個の切開部材を有し、または切り刃部材を有する１個の切開部材と押し刃部材を有する１個の切開部材を有し、または刺し刃部材を有する１個の切開部材と押し刃部材を有する１個の切開部材を有するものであることを特徴とする請求項１記載のオーバーキャップ
【請求項８】
前記切り刃部材を有する切開部材は、前記指掛かり部材の先端が凸状又は凹状に形成され、前記指掛かり部材を操作して前記切開部材を変位させて前記シール蓋を切開した場合に、前記凸状又は凹状の指掛かり部材先端と、前記オーバーキャップ天板より立設する壁部との間に空隙が形成されて液体又は空気の流通孔となることを特徴とする請求項１記載のオーバーキャップ
【請求項９】
前記切り刃部材を有する切開部材は、前記指掛かり部材の先端が凸状に形成され、かつ前記指掛かり部材に１個又は複数個の貫通孔が形成され、前記指掛かり部材を操作して前記切開部材を変位させて前記シール蓋を切開した場合に、前記指掛かり部材の貫通孔も液体又は空気の流通孔となることを特徴とする請求項１記載のオーバーキャップ
【請求項１０】
前記切り刃部材を有する切開部材の側端面に突起又は窪みを形成し、前記オーバーキャップの穿孔の側端面または近傍に、前記切開部材の突起または窪みと係合可能な窪み又は突起を形成したことを特徴とする請求項６記載のオーバーキャップ
【請求項１１】
前記オーバーキャップ本体は前記天板よりも上方に隆起する隆起部を天板の周縁部を一周して形成し前記切開部材は前記隆起部よりも上に出ないように構成されていることを特徴とする請求項１記載のオーバーキャップ
【請求項１２】
上端開口部をシール蓋で閉じたシール容器に装着して前記シール蓋を切開するシール容器用のオーバーキャップであって、
前記オーバーキャップは、
前記シール容器に装着可能で、天板の一部に穿孔が形成されているオーバーキャップ本体と、前記オーバーキャップ本体にヒンジを介して前記穿孔内に一体に形成され前記オーバーキャップ本体に対して変位可能な少なくとも一個の切開部材とを有し、
前記切開部材は前記シール蓋を切開可能な刃部材と、前記刃部材と一定の角度をもって突出している指掛かり部材とからなり、
前記指掛かり部材を操作して前記切開部材を変位させて前記シール蓋を切開した場合に、オーバーキャップ本体の天板と切開部材との間に形成される間隙が液体又は空気の流通孔となり、
前記穿孔の縁部に沿って下方に立ち下っている壁状のリブを有し、前記天板に支えられて切開部材が前記天板から下方に突出している突出部分のうちの少なくとも一部分の下端の位置が前記リブの下端の位置と同じかそれよりも上方にあることを特徴とする請求項１記載のオーバーキャップ
【請求項１３】
前記リブは前記穿孔の縁部を一周して若しくは縁部の一周の一部分に形成されていることを特徴とする請求項１２記載のオーバーキャップ
【請求項１４】
前記突出部分は前記ピンヒンジのヒンジピン部であり、及びまたは前記刺し刃部材の先端であることを特徴とする請求項１２記載のオーバーキャップ
【発明の詳細な説明】
【技術分野】
【０００１】
この発明は飲料を収容するカップ型容器に装着してその開封をするときに使用するオーバーキャップに関するものである。
【背景技術】
【０００２】
店頭で調整したホットコーヒーなどのホット飲料を店頭で購入して持ち帰るときに使用するカップ型容器では、客の注文毎にカップにホットコーヒーを入れ、これにカップの上から簡易のカバーキャップをかぶせて、顧客に手渡される。
この簡易のカバーキャップには、縁部に飲み口と空気入口が形成されていて、客はカバーキャップをカップから外さずに、飲み口を通して内容物を飲用する（特許文献１参照）。
【０００３】
一方飲料メーカーが調整、販売するカップ飲料では、飲料メーカーが飲料をカップに充填し、保存性、衛生性を保持することなどを目的として、カップの上端をフィルム状の蓋材でシールして出荷する。このカップ飲料でもカップの上面にシール蓋を保護するためのオーバーキャップを装着してシール蓋を覆うが、このシール蓋を剥さずにオーバーキャップの上からカップ内の飲料を飲むことが要求されて来ている。
【０００４】
【特許文献１】特開２００４−１２３１５５
【発明の開示】
【発明が解決しようとする課題】
【０００５】
しかし店頭販売用カップ用のカバーキャップをカップ飲料用オーバーキャップとしてそのまま転用することはできない。これを、シール蓋を有するカップに転用すると、飲み口を形成する際のシール蓋開口のときにキャップの取外し、及び再取付が必要であるし、別に開口器具が必要になることもある。また、工場調整飲料用カップの場合はカップ上端にシール蓋が存在するので、飲む時はシール蓋を開口させるための手段が必要になる。しかも、内容物がホットの高温飲料や有色飲料の場合は、内容物が開口時の振動で波立ってカップの外にあふれ出る事故を防ぐために、シール蓋を開口させる動作を特に静かに円滑に行うことができるものであることが望まれる。
【０００６】
シール蓋を切開して飲み口を形成する開口具としては特許文献１に記載したものがあるが、これらの開口具ではカップ上端に装着したオーバーキャップにカッターがヒンジを介して連結していて、このカッターがスイングしてシール蓋と接触して切開するものである。しかるにシール蓋には飲み口の開口部があまり大きくないので注出性向上のための空気孔も必要であるので、この空気孔を形成するための部材も必要になるし、また飲み口に空気孔を兼ねさせる場合に開口部を相当に大きく形成しなければならないので、飲み口の開口操作が容易ではない。
【０００７】
このようなことから、メーカー調整のカップ飲料についてシール蓋に飲み口や空気入口を容易にかつ円滑に形成することができ、飲用時のマウスピースとしてカップに装着して飲用時に使用することができる簡素な構造のカップ型容器用のオーバーキャップを提供することを目的とするものである。
【０００８】
さらにこのカップ型容器用のオーバーキャップを改良してより支障なく使用することができる改良型のオーバーキャップを提供することを目的とするものである。
【課題を解決するための手段】
【０００９】
この目的に対応して、この発明のオーバーキャップは、
上端開口部をシール蓋で閉じたシール容器に装着して前記シール蓋を切開するシール容器用のオーバーキャップであって、
【００１０】
前記オーバーキャップは、
前記シール容器に装着可能で、天板の一部に穿孔が形成されているオーバーキャップ本体と、前記オーバーキャップ本体にヒンジを介して前記穿孔内に一体に形成され前記オーバーキャップ本体に対して変位可能な少なくとも一個の切開部材とを有し、
前記切開部材は前記シール蓋を切開可能な刃部材と、前記刃部材と一定の角度をもって突出している指掛かり部材とからなり、
【００１１】
前記指掛かり部材を操作して前記切開部材を変位させて前記シール蓋を切開した場合に、オーバーキャップ本体の天板と切開部材との間に形成される間隙が液体又は空気の流通孔となることを特徴としている。
【００１２】
またこの発明の他のオーバーキャップは上端開口部をシール蓋で閉じたシール容器に装着して前記シール蓋を切開するシール容器用のオーバーキャップであって、
前記オーバーキャップは、
前記シール容器に装着可能で、天板の一部に穿孔が形成されているオーバーキャップ本体と、前記オーバーキャップ本体にヒンジを介して前記穿孔内に一体に形成され前記オーバーキャップ本体に対して変位可能な少なくとも一個の切開部材とを有し、
前記切開部材は前記シール蓋を切開可能な刃部材と、前記刃部材と一定の角度をもって突出している指掛かり部材とからなり、
前記指掛かり部材を操作して前記切開部材を変位させて前記シール蓋を切開した場合に、オーバーキャップ本体の天板と切開部材との間に形成される間隙が液体又は空気の流通孔となり、
前記穿孔の縁部に沿って下方に立ち下っている壁状のリブを有し前記天板に支えられて切開部材が前記天板から下方に突出している突出部分のうちの少なくとも一部分の下端の位置が前記リブの下端の位置と同じかそれよりも上方にあることを特徴としている。
【発明の効果】
【００１３】
請求項１に記載したオーバーキャップでは、シール蓋を切開する切開部材を有するが、その切開部材は刃部材の他に、刃部材に固体した指掛かり部材を有するので、刃部材の操作が容易であり、ひいては飲み口、空気孔の形成が容易である。切開部材はオーバーキャップ本体と一体であるのでオーバーキャップの構造が簡単になる。切開動作において指掛かり部材は穿孔に達するが、それを操作する指は穿孔の中にまで差し込む必要がないので穿孔の大きさをそれほど大きくする必要がなく、液体通路の大きさを過大にすることがないのでホット飲料などにおいて流量を制限することができる。
【００１４】
請求項２に記載したオーバーキャップでは、刃部材の上方に突出した指掛かり部材を有するので、刃部材の操作が一層容易である。
【００１５】
請求項３に記載したオーバーキャップでは、刃部材が天板の上方に出ていて、さらに刃部材の上方に突出した指掛かり部材を有するので、刃部材の操作が一層容易である。
【００１６】
請求項４に記載したオーバーキャップでは、刃部材として、シール蓋を切ることが可能な切り刃部材と、シール蓋を突き刺し可能な刺し刃部材と、シール蓋を押し切ることが可能な押し刃部材とを選択することができるので、飲み口や空気孔の特徴に応じて選択することができる。
【００１７】
請求項５に記載したオーバーキャップでは刃部材をオーバーキャップ本体に連続するヒンジとしてピンヒンジまたはストラップヒンジを用いるので、飲み口や空気孔の特徴に応じて刃部材の動きを選択することができる。
【００１８】
請求項６に記載したオーバーキャップでは、切り刃部材をピンヒンジで連結し、刺し刃部材をストラップヒンジで連結したので、それぞれの刃部材に最適の動きを与えることができる。
【００１９】
請求項７に記載したオーバーキャップでは、刃部材を２個または１個使用するので、飲み口や空気孔の特徴に応じて選択することができるので飲み口と空気孔の形成が容易である。
【００２０】
請求項８に記載したオーバーキャップでは、天板の穿孔の縁と指掛かり部材の縁との間に液体又は空気の流通路が形成されることになるのでホットコーヒーのような高温液体に対しては流量制限ができて安全である。
【００２１】
請求項９に記載したオーバーキャップでは、指掛かり部材に形成した貫通孔が液体又は気体の通路となるので流量制限が一層容易である。
【００２２】
請求項１０に記載したオーバーキャップでは、係止用凹凸や窪みによって切開後の切開部材の位置決めをするので、飲み動作安定する。
【００２３】
請求項１１に記載したオーバーキャップでは、天板よりも上方に隆起する隆起部を天板の周縁部を一周して形成して、切開部材は隆起部よりも上に出ないように構成されているので、隆起部がガードとなって切開部材に対する誤操作などが起こりにくい。
【００２４】
請求項１２に記載した発明によれば、請求項１から請求項１１に記載したオーバーキャップをより支障なく使用することができる。すなわち、請求項１から請求項１１に記載したオーバーキャップにおいて、ストラップヒンジによって刺し刃部材を取り付けた場合に、シール容器にオーバーキャップを装着した状態では、刺し刃部材の鋭利な先端がシール蓋に向って最も近づいた状態になる場合があって、この場合には、店頭などでオーバーキャップをシール容器に装着した状態で加温し、シール容器をシール蓋がふくれた状態で落下させてしまったり、シール容器が逆さまになって内容物がシール部材を押して外側に膨出させた状態でシール容器を落下させてしまうなどシール部材が刺刃の先端に近づいた状態が現出した場合は、落下時の衝撃により、ストラップヒンジが動作し、不用意に刺し刃部材がシール部材に刺さり、開口してしまうおそれがあった。
【００２５】
しかるに、請求項１２に記載した改良型のオーバーキャップではストラップヒンジが通常停止している状態における刺し刃の先端位置と同等かそれよりも高い保護リブをオーバーキャップ内面のストラップヒンジのストラップ基部に設けることにより、シール蓋と刺し刃部材の接触を回避して、シール蓋が不用意に開口してしまうことを防止することができる。
【００２６】
またピンヒンジによって切開部材である切り刃部材をオーバーキャップ本体に取付けた場合に、切開動作時における切り刃部材の回動中心となるヒンジピンをシール蓋に近づけて設けると切開部材による切開動作の操作性を向上させることができるが、このようにヒンジピンの設置位置を低くすると（シール蓋側に寄せると）、ヒンジピンがシール蓋により近接することになる。しかるに、ヒンジピンは薄肉で形成されているため、落下衝撃に耐えにくく、特にヒンジピンに落下時の衝撃が集中（応力集中）するとヒンジピンの破断を招き易い。また落下時に内容液の重力がシール蓋を介してヒンジピンに作用してもヒンジピンの破断のおそれがある。
【００２７】
しかるに請求項１２に記載した改良型のオーバーキャップではヒンジピンの周囲に配置した保護リブによりシール蓋と切り刃部材の接触を回避して、ヒンジピンの破損を防ぐことができる。
【００２８】
請求項１３に記載したオーバーキャップによればリブは穿孔の縁の一周若しくは一周の一部分に形成されるので、切開部材とシール蓋との接触を確実に回避することができる。
【００２９】
請求項１４に記載した改良型のオーバーキャップでは、ピンヒンジまたは刺し刃部材を囲んで保護リブを形成するので、それらとシール蓋との接触を確実に回避することができる。
【発明を実施するための最良の形態】
【００３０】
以下、この発明を実施するための最良の形態を示す図面を参照しつつ説明する。
図１及び図３において、１ａはこの発明のオーバーキャップであり、オーバーキャップ１ａはカップ型容器２の上端に装着されて使用されるものである。カップ型容器２の上端部はフランジ３が形成されており、その内側は開放して開放開口４となっており、その開放開口４はフランジ３にヒートシールされたフィルム状のシール蓋５で閉じられている。このシール蓋５がこの発明における切開の対象である。
【００３１】
オーバーキャップ１ａはカップ型容器２に装着可能なオーバーキャップ本体６とそのオーバーキャップ本体６にヒンジ１０を介して一体に連結して形成されている後述する切開部材７とからなっている。オーバーキャップの材質はポリプロピレン、ポリエチレンなどの合成樹脂で構成することが望ましく、これらの樹脂を射出成形することによって、成形することがよい。
【００３２】
オーバーキャップ本体６はカップ型容器２の上端部を覆う覆部１１とこの覆部１１をカップ型容器２に取付けるための取付け裾部１２とを肩部１３を介してオーバーキャップ本体６の中心線１４方向に同心状に連続させて有する。覆部１１は筒状の筒部１５とその上端を閉じる天板１６とを有する。
取付け裾部１２は中心線１４回りに半径方向に凸出する係止部１７を有し、この係止部１７がオーバーキャップ本体６がカップ型容器２に装着した場合に肩部１３と協働してカップ型容器２のフランジ３を挟んで、フランジ３とオーバーキャップ本体６とを固定させる。
【００３３】
このとき、肩部１３の下面には図示しないがコンタクトリングやフィンなどのシール部材がフランジ３の上面と液密に接触するように設けられているため、オーバーキャップ１ａとカップ型容器２との液密な装着が実現している。
オーバーキャップ本体６は中央位置に天板１６の上方に窪み１８を有し、かつ窪み１８を囲んで中心線１４周りに一周する土手状に隆起している筒部１５から上方に延長する隆起部２１とを有する。
【００３４】
隆起部２１寄りの窪み１８の底面をなす天板１６に液体流通孔２２と空気流通孔２３が設けられている。後に説明するように、液体流通孔２２、空気流通孔２３はカップ型容器２内の内容液を流通させる孔または息継ぎ空気を流通させる孔として利用する孔である。この実施形態では液体流通孔２２と空気流通孔２３はいずれも予め開口状態に形成され、かつ切開部材７、８または切開部材９で閉じられた状態に形成されている。ここで切開部材７、８、９はいずれもシール蓋５を切開するための部材であるが、このうち切開部材７はシール蓋５を切って切開する機能を主として有し、切開部材８はシール蓋５を突き刺して切開する機能を主として有し、切開部材９はシール蓋５を押し切りによって切開する機能を主として有するものである。
【００３５】
切開部材７は刃部材２４と指掛かり部材２５を有している。刃部材２４の種類としては、シール蓋５を切って開口させることを主な機能として有する切り刃部材４１とシール蓋５を刺して開口させることを主な機能として有する刺し刃部材４２とシール蓋５を押し切って開口させることを主な機能として有する押し刃部材４７とがあるが、この切開部材では切り刃部材４１を有している。切り刃部材４１は板状でほぼ矩形をなし、先端に尖鋭の刃先４３を有する。
【００３６】
切り刃部材４１はほぼ液体流通孔２２と近似の形状をなし、未使用の状態においては、切り刃部材４１は液体流通孔２２内において液体流通孔２２を塞いだ状態で窪み１８の底面とほぼ面一の状態で位置する。切り刃部材４１は切り刃４４をその両側に位置させていて、この切り刃部材４１の先端の刃先４３及び側縁の切り刃４４がシール蓋５をほぼ垂直に突きまたは切って、シール蓋５を開口させる。
【００３７】
刃部材２４の基端部には指掛かり部材２５の基端部が固定している。
指掛かり部材２５は板状をなし、刃部材２４に対して角θの角度をなして固定している。θの大きさは３０°〜９０°である。これらの角度はシール蓋が容器内が減圧となったり、凹んだときなどにおいても刃部材の先端がほぼ垂直にシール蓋５と当接するように適宜設定するとよい。指掛かり部材２５の上縁には必要に応じて指掛り凹凸２６が形成される。この指掛かり部材２５の上縁は刃部材２４よりも上方に突出している。刃部材２４と指掛かり部材２５との間には必要に応じて補強用のリブ３０が設けられる。切開部材７はピンヒンジ２７によってオーバーキャップ本体６に一体として連結している。ピンヒンジ２７はオーバーキャップ本体６上の固定位置に切開部材７の相対回転中心２８を有するヒンジである。相対回転中心２８上にはヒンジピン３６が位置する。ヒンジピン３６はオーバーキャップ１ａの材料を薄肉にして形成する。
【００３８】
オーバーキャップ本体６の中心線１４を挟んで切開部材７が設けられる位置の反対側に他の切開部材８が隆起部２１の内側に設けられている。切開部材８は前述の通り、シール蓋５を突き刺して切開する機能を主として有する切開部材で、切開部材８は円形の空気流通口２３と同心状に配置されていて刃部材２４とハンドル部材３２とを有する。刃部材２４としては、シール蓋５を刺して開口させることを主な機能として有する刺し刃部材４２を使用する。
【００３９】
刺し刃部材４２は針状で下端が鋭利な尖端からなる刃先３３になっている。刺し刃部材４２は上端部でハンドル部材３２に固定している。ハンドル部材３２はプッシュボタン状で、刺し刃部材４２よりも上方に突出している。
ハンドル部材３２はストラップヒンジ３４によってオーバーキャップ本体６に可動状態で連結している。
【００４０】
ストラップヒンジ３４は図１（ｅ）に拡大平面図で示すように、ヒンジ中心３６回りに所定の角度（この実施形態では約１２０°）の範囲に配置された狭幅の可撓性の紐状の３本のストラップ３５（３５ａ、３５ｂ、３５ｃ）を有し、それぞれのストラップ３５ａ、３５ｂ、３５ｃの外側端が空気流通孔２３の縁でオーバーキャップ本体６の天板１６に一体に連結し、内側端でハンドル部材３２に一体に連結している。ハンドル部材３２乃至刺し刃部材４２はストラップ３５の撓みによって可撓の範囲でヒンジ中心３６の方向にオーバーキャップ本体６に対して相対直線変位が可能である。
【００４１】
このように構成されたオーバーキャップ１ａの動作は次の通りである。
内容物が充填されシール蓋５によって上端の開放開口４が閉じられた状態のカップ型容器２の上端にオーバーキャップ１ａが装着される。図１及び図４に示すようにカップ型容器２の上端にオーバーキャップ１ａを乗せ、わずかに下に押圧すれば、オーバーキャップ１aの取付裾部１２の係止部１７が肩部１３との間にカップ型容器２のフランジ３を液密に挟んで装着される。
【００４２】
次にカップ型容器２のシール蓋５に流出口３７を切開する動作としては、図２に示すように、切開部材７の指掛かり部材２５を手指で摘んで手前に液体流通孔２２に向けて引くと、指掛かり部材２５と一体になっている刃部材２４（４１）が変位移動し液体流通孔２２から下に向ってヒンジ中心線１４を中心とした回転をする。オーバーキャップ本体６の下にはシール蓋５があるので、切り刃部材４１の先端の刃先４３及び両側の切り刃４４がシール蓋５を切開し間隙が流出口３７を形成する。そして図示しない刃部材端面の突起と孔端面の凹凸とが係合し引き倒しが終了するとクリック感が生じて終了する。
【００４３】
次いでシール蓋５に空気口３８を切開する動作としては、他の切開部材８のボタン状のハンドル部材３２を下に押すと、ストラップヒンジ３４の各ストラップ３５（３５ａ、３５ｂ、３５ｃ）が撓み変形して伸び、刃先３３の変位が許容され、刃先３３はヒンジ中心３６の方向に直線変位してシール蓋５に向って下降し、刃先３３がシール蓋５を突き刺して開口させる。ハンドル部材３２を押す指をはなすとストラップヒンジ３４の弾性的復元により、刃先３３がシール蓋５から抜け出し、空気口３８が形成される。
こうしてシール蓋５に流出口３７、空気口３８が形成される。
【００４４】
この状態でカップ型容器を傾けるとカップ型容器２内の内容物は流出口３７から液体流通孔２２を通して流出するので、これを飲用することができる。息継ぎの空気は空気流通孔２３、空気口３８を通して流入する。
【００４５】
図５から図７にはこの発明の第２の実施形態に係るオーバーキャップ１ｂが示されている。オーバーキャップ１ｂでは、第一の実施形態に係るオーバーキャップ１ａとは相違して、切開部材７の指掛り部材２５ｂの指掛け凹凸２６が２個の凹凸として設けられている。このように指掛け凹凸２６が２個設けられていることによって、ハンドル部材２５ｂに対する指掛りが一層容易になる。
【００４６】
図８から図９には、この発明の第３の実施形態に係るオーバーキャップ１ｃが示されている。このオーバーキャップ１ｃでは第１の実施形態に係るオーバーキャップ１ａとは相違して、切開部材７の刃部材２４ｃと指掛り部材２５ｃとを固定連結する補強用のリブ３０がそれぞれの基端部から先端部までの全域にわたって設けられている。
図１０から図１３にはこの発明の他の実施形態に係るオーバーキャップ１ｄ〜１ｇが示されている。
【００４７】
図１０に示すオーバーキャップ１ｄはシール蓋５に形成する流出口３７と空気口３８を形成する切開部材として、主としてシール蓋５を切る機能を持つ刃部材２４をピンヒンジ２７でオーバーキャップ本体６に連結した形式の切開部材７を２個備え、流出口３７も空気口３８も切開部材７、７で切開して形成するものである。
【００４８】
図１１に示すオーバーキャップ１ｅはシール蓋５に流出口３７を形成するための切開部材としてシール蓋５を主として押し切りにする切開部材９を使用するものである。切開部材９は円形の液体流通孔２２と同心状に配置されていて、刃部材２４とハンドル部材３２とを有する。刃部材２４としてはシール蓋５を押し切りして開口させることを主な機能として有する押し刃部材４７を使用する。
押し刃部材４７は下端の切刃４８を円状に形成しており、押し刃部材４７はハンドル部材３２の下に固定している。ハンドル部材３２はプッシュボタン状で、押し刃部材４７よりも上方に突出している。
【００４９】
ハンドル部材３２はストラップヒンジ３４によってオーバーキャップ本体６に可動状態で連結している。
カップ型容器２に流出口３７を切開する動作としては、切開部材９のハンドル部材３２を下に押し下げるとストラップヒンジ３４の撓みにともなって下方に直線変位し、切刃４８がシール蓋５を押し切りに切開して、流出口３７が開口する。押し切られたシール蓋５の切片は中空の切刃４８またはハンドル部材３２内に保持される。ハンドル部材３２を押し下げている指の力を除去するとストラップヒンジ３４の弾性復元により、切刃４８及びハンドル部材３２は元の位置に復帰する。
【００５０】
図１２に示すオーバーキャップ１ｆはシール蓋５に流出口３７だけを切開して、その流出口３７に息継ぎのための空気口３８の機能を持たせることとし、そのための切開部材としてピンヒンジ２７で連結する切開部材７を１個だけ設けたものである。
図１３に示すオーバーキャップ１ｇもシール蓋５に流出口３７だけを切開して、その流出口３７に息継ぎのための空気口３８の機能を持たせることとし、そのための切開部材としてストラップヒンジ３４で連結する切開部材９を１個だけ設けたものである。
図１４には以上説明したオーバーキャップ１ａ〜１ｇに対して改良を加えた改良型のオーバーキャップ１ｈが示されている。
すなわちオーバーキャップ１ｈは天板１６に液体流通孔２２、空気流通孔２３が開口状態に形成され、その液体流通孔２２、空気流通孔２３内に配置された切開部材７、切開部材８によって閉じられた状態になっているのであるが、
液体流通孔２２の縁の一周のうちの全周もしくは中心線１４寄りの約半周部分では、天板１６から高さｈ１の壁状の保護リブ５１が立ち下って設けられている。
切開部材７はピンヒンジ２７によって保護リブ５１の下端に連結している。このときヒンジピン３６の高さ位置は天板１６より高さｈ１だけ低くなっていて保護リブ５１の下端と同じ高さにある。
【００５１】
一方、空気流通孔２３の周縁では天板１６から高さｈ２の壁状の保護リブ５２が設けられている。切開部材８はストラップヒンジ３４によって天板１６に連結支持されているのであるが、保護リブ５２の下端の高さ位置は刺し刃部材４２の下端の刃先３３と同じ高さ位置になっている。
【００５２】
このように構成されたオーバーキャップ１ｈでは、切開動作時における切り刃部材の回動中心となるピンヒンジ２７をシール蓋５に近づけた配置した場合でもピンヒンジ２７の周囲に配置した保護リブ５１によりカップ型容器２が落下した場合などに内容物の重量に押されて変形したシール蓋５が保護リブ５１に当って切り刃部材４１に達するのを抑制するのでシール蓋５と切り刃部材４１との接触を小さくしてピンヒンジ２７の破損を防ぐことができる。
【００５３】
また同様に刺し刃部材４２については、変形したシール蓋が保護リブ５２に当って刺し刃部材４２に達するのを抑制するので、シール蓋５と刺し刃部材４２との接触を小さくしてシール蓋５の破損を防ぐことができる。
以上の説明から明らかな通り、この発明によればメーカー調整のカップ飲料についてシール蓋に飲み口や空気入口を容易に、静かにかつ円滑に形成することができ、飲用時のマウスピースとしてカップに装着して使用することができるカップ型容器開封用のオーバーキャップを得ることができる。
【００５４】
また改良されたオーバーキャップ１ｈではピンヒンジ、刺し刃部材を囲んで保護リブが形成されるので、容器が落下しても、シール蓋やヒンジの破損を確実に回避することができる。
【図面の簡単な説明】
【００５５】
【図１】未切開のオーバーキャップを示す図で、（ａ）は平面図、（ｂ）は（ａ）におけるｂ−ｂ部断面図、（ｃ）は（ｂ）における切開部材７のＸ方向矢視図及びＹ方向矢視図、（ｄ）は底面図
【図２】切開後のオーバーキャップを示す図で、（ａ）は平面図、（ｂ）は縦断面図、（ｃ）は底面図
【図３】未切開のオーバーキャップの斜視図
【図４】未切開のオーバーキャップをカップ型容器に装着した状態の斜視図
【図５】未切開の他のオーバーキャップの斜視図
【図６】未切開の他のオーバーキャップを示す図で、（ａ）は平面図、（ｂ）は縦断面図、（ｃ）は底面図
【図７】切開後のオーバーキャップを示す図で、（ａ）は平面図、（ｂ）は縦断面図、（ｃ）は底面図
【図８】未切開の他のオーバーキャップをカップ型容器に装着した状態を示す図で、（ａ）は平面図、（ｂ）は縦断面図
【図９】切開後の他のオーバーキャップをカップ型容器に装着した状態を示す図で、（ａ）は平面図、（ｂ）は縦断面図
【図１０】未切開の他のオーバーキャップの切開後の状態を示す図で、（ａ）は平面図、（ｂ）は縦断面図、（ｃ）は底面図
【図１１】切開後のオーバーキャップを示す図で、（ａ）は平面図、（ｂ）は縦断面図、（ｃ）は底面図
【図１２】切開後のオーバーキャップの切開後の状態を示す図で、（ａ）は平面図、（ｂ）は縦断面図、（ｃ）は底面図
【図１３】切開後のオーバーキャップを示す図で、（ａ）は平面図、（ｂ）は縦断面図、（ｃ）は底面図
【図１４】切開前の他のオーバーキャップを示す図で、（ａ）は平面図、（ｂ）は縦断面図、（ｃ）は底面図
【図１５】カップ型容器に装着した切開前の他のオーバーキャップを示す図で、（ａ）は平面図、（ｂ）は縦断面図
【図１６】カップ型容器に装着した切開後の他のオーバーキャップを示す図で、（ａ）は平面図、（ｂ）は縦断面図
【符号の説明】
【００５６】
１ａ、１ｂ、１ｃ、１ｄ、１ｅ、１ｆ、１ｇ、１ｈオーバーキャップ
２    カップ型容器
３    フランジ
４    開放開口
５    シール蓋
６    オーバーキャップ本体
７    切開部材
８    切開部材
９    切開部材
１０  ヒンジ
１１  覆部
１２  裾部
１３  肩部
１４  中心線
１５  筒部
１６  天板
１７  係止部
１８  窪み
２１  隆起部
２２  液体流通孔
２３  空気流通孔
２４  刃部材
２５  指掛り部材
２６  指掛り凹凸
２７  ピンヒンジ
２８  相対回転中心
３０  補強用のリブ
３２  ハンドル部材
３３  刃先
３４  ストラップヒンジ
３５  ストラップ（３５ａ、３５ｂ、３５ｃ）
３６  ヒンジピン
３７  流出口
３８  空気口
４１  切り刃部材
４２  刺し刃部材
４３  刃先
４４  切り刃
４７  押し刃部材
４８  切刃
５１  保護リブ
５２  保護リブ
【図１】
2008207874.tif 000003
【図２】
2008207874.tif 000004
【図３】
2008207874.tif 000005
【図４】
2008207874.tif 000006
【図５】
2008207874.tif 000007
【図６】
2008207874.tif 000008
【図７】
2008207874.tif 000009
【図８】
2008207874.tif 000010
【図９】
2008207874.tif 000011
【図１０】
2008207874.tif 000012
【図１１】
2008207874.tif 000013
【図１２】
2008207874.tif 000014
【図１３】
2008207874.tif 000015
【図１４】
2008207874.tif 000016
【図１５】
2008207874.tif 000017
【図１６】
2008207874.tif 000018